Podtech/llm-jp-corpus-v4-ja_patent huggingface dataset:
(57)【要約】      （修正有）【課題】イカの墨の吐出口を容易に塞ぐ事が出来るイカ墨用クリップを提供する。【解決手段】イカ墨吐出口の視野を確保する為、柄の部分が細く形成され、吐出口把持部分は柄と直角に曲げてあり、咬合部に凹凸を付けた形状となっている。イカ墨の吐出口をクリップで把持する事により墨の漏出を防止する。【選択図】図１
0003192753.tif 000002
【実用新案登録請求の範囲】
【請求項１】
視野を確保する為、クリップの柄の部分を細くし把持部分を柄と直角に曲げ把持部分断面に凹凸を付けた構造となるクリップ
【考案の詳細な説明】
【技術分野】
【０００１】
本考案はイカの墨の吐出口を容易に塞ぐ事が出来るクリップに関するものである
【背景技術】
【０００２】
今まではイカの墨の漏出を防ぐ器具は無かった。
【考案の概要】
【考案が解決しようとする課題】
【０００３】
今まではイカの墨の漏出を防止する器具が無かった為、イカ墨によりクーラーボックスや周囲を汚していた。料理の際には手がイカ墨で黒くなっていた。又イカ墨を利用する場合、墨が漏出し量が減少していた。
【課題を解決するための手段】
【０００４】
本考案は墨の吐出口をクリップで挟む事で墨の漏出を容易に防止できる事が特徴である。又  クリップを体外から容易に操作出来る構造となっており狭い吐出口の視野を確保し易い構造となっている。
【考案の効果】
【０００５】
このクリップを使う事により、イカ墨の漏出が防止でき周囲をイカ墨で汚染することなく、料理の際にも手が汚れない。イカ墨は墨袋の内部に留まりイカ墨利用の際には量の目減りが無い。
【図面の簡単な説明】
【０００６】
【図１】あ  イカの腹部の正面の図      い  イカの漏斗部上部腹壁を軽く持ち上げ墨の吐出口を足部から視認した図    う  吐出口をクリップで挟んだ状態図
【図２】本考案のクリップの形状で  イカ墨の吐出口を把持する部分と柄の部分、把持部の開口を調節する部分からなる。
【図３】本考案で模擬イカ墨の吐出口を把持した図
【図４】イカ墨の吐出口に向って開口調節部を圧縮し把持部を開口した図
【図５】吐出口把持部の断面図
【考案を実施するための形態】
【０００７】
墨の吐出口の視界を遮らず、手前に向って来る吐出口を確実に把持出来るようにクリップ柄の部分は細くし、吐出口把持部分はクリップ柄の部分と直角になる構造とした。吐出口把持部断面は図5のように把持する圧力により身切れが生じないよう角に丸みを持たせると共に咬合部に凹凸を設け最小の圧力で確実に吐出口が把持出来る形態とした。
【実施例】
【０００８】
イカの漏斗部が確認出来る正面図（図１あ）この状態で腹腔壁を足側より軽く拳上すると漏斗上部に緑色かかった黒い墨袋が見えその末梢部、漏斗中枢側に２本の透明な吐出口が有る（図１い）本考案のクリップの手動開口調節部をつまんで吐出口に把持部を当て吐出口を挟み手動開口調節部を離すとイカ墨吐出口が把持され墨が漏出しない状態になる。
【産業上の利用可能性】
【０００９】
イカ墨の漏出を止める事により  人の手や周囲の汚染を防止し、イカ墨の量を減少させない為、墨の量が確保される。
【図１】
0003192753.tif 000003
【図２】
0003192753.tif 000004
【図３】
0003192753.tif 000005
【図４】
0003192753.tif 000006
【図５】
0003192753.tif 000007
【手続補正書】
【提出日】平成26年4月24日(2014.4.24)
【手続補正１】
【補正対象書類名】実用新案登録請求の範囲
【補正対象項目名】全文
【補正方法】変更
【補正の内容】
【実用新案登録請求の範囲】
【請求項１】
：  イカ墨漏出防止の為のクリップであり、その形状はイカ墨吐出口の視野を確保する為、柄の部分を細く吐出口を把持する部分は柄と直角に曲げてある。吐出口把持部分の咬合部に凹凸を付けた形状となっている。  
【手続補正書】
【提出日】平成26年6月30日(2014.6.30)
【手続補正１】
【補正対象書類名】実用新案登録請求の範囲
【補正対象項目名】全文
【補正方法】変更
【補正の内容】
【実用新案登録請求の範囲】
【請求項１】
イカ墨吐出口の視野を確保する為、柄の部分が細く形成され、吐出口把持部分は前記柄と直角に曲げてあり、咬合部に凹凸を付けた形状となっていることを特徴とするイカ墨用クリップ。
(57)【要約】      （修正有）【課題】使用しない時には、タイル壁に、立てかけ、又は、付けた、タイルのフックにかけ、場所をとらないで、清潔に使用できる風呂座椅子を提供する。【解決手段】壁面に立てかけられる高さで、側面の少なくとも一箇所に壁面に取り付けたフックにかけるための凹部を有することを特徴とする風呂座椅子。【選択図】図１
0003192751.tif 000002
【実用新案登録請求の範囲】
【請求項１】
今までの、風呂の座椅子は２０ｃｍ〜３０ｃｍと高すぎるので、使用後、置くところに、こまるので、高さを低くして、タイル壁に立てる、又は、
【請求項２】
フックを付けた、タイル壁に風呂座椅子をかけて、じゃまに、ならないように、整理、することである。
【考案の詳細な説明】
【技術分野】
【０００１】      本考案は、低い風呂座椅子なので、使用しない時は壁に、立てかけ、壁に付けた、フックにかける。
【背景技術】
【０００２】従来から、風呂で使用する座椅子は、高さが２０ｃｍ〜３０ｃｍぐらいあり、使用後、家庭の風呂では、かさばり、じゃまに、なつています。
【考案の開示】
【考案が解決しよとする課題】
【０００３】家庭の風呂場は、狭いので、従来の、風呂座椅子では、置く場所がなく、使う範囲が狭いので。
【課題を解決するための手段】
【０００４】高さが低いので壁に立てかけ、たり、タイルの壁のフックにかけて、整頓する。
【考案の効果】
【０００５】使用しない時は、たてて置くので、場所をとらなく、乾燥して、清潔にできる。
【考案を実施するための最良の形態】
【０００６】高さが低い、風呂座椅子を作り、使用しない時には、タイル壁に、立てかけ、又は、付けた、タイルのフックにかけ、場所をとらないで、清潔に使用できる。
【図面の簡単な説明】
【０００７】
【図１】Ａ、Ｂ、Ｃ、は本願考案の高さを低くした、風呂座椅子の正面、横面、上面図。
【図２】、Ｂ−１、Ｃ−１は、タイル壁に、つけた、フックがかかる、断面図。】
【図３】Ａ−１、は、壁に立てたようす。
【符号の説明】
【０００８】１・・・・風呂座椅子の本体２・・・・タイルの、フックに付けた状態。
【図１】
0003192751.tif 000003
【図２】
0003192751.tif 000004
【手続補正書】
【提出日】平成26年6月11日(2014.6.11)
【手続補正１】
【補正対象書類名】実用新案登録請求の範囲
【補正対象項目名】全文
【補正方法】変更
【補正の内容】
【実用新案登録請求の範囲】
【請求項１】
壁面に立てかけられる高さで、側面の少なくとも一箇所に壁面に取り付けたフックにかけるための凹部を有することを特徴とする風呂座椅子。
【手続補正３】
【補正対象書類名】明細書
【補正対象項目名】０００７
【補正方法】変更
【補正の内容】
【０００７】
【図１】Ａ、Ｂ、Ｃ、は壁面に付けたフックに凹部をかけた正面図、横面図、上面図。
【図２】Ｂ−１、Ｃ−１はフックに凹部をかけた断面図。
(57)【要約】      （修正有）【課題】拾った人から落とした人に、素早く連絡がとることができるカードを提供する。【解決手段】落とし主の、連絡先、電話番号を記入する、第１の記入欄を一方の面に設ける。落とし物を拾った人へのお礼の金額を記入する、第２の記入欄を他方の面に設ける。【選択図】図１
0003192754.tif 000002
【実用新案登録請求の範囲】
【請求項１】
カードに、落とし主の、連絡先、電話番号を記入する、欄を、作ること。
【請求項２】
交換する、金額は、持ち主の、価値によって、決めて、カードの欄に、記入する。
【考案の詳細な説明】
【技術分野】
【０００１】財布、免許証、カバン、ノート、パソコンを落としたり、忘れたりした時、慌てて、手のうちようがない、少しでも、早く、解決するため、
【背景技術】
【０００２】そのために、磁気カードと同じ大きさのカードに、落とし主の、連絡先の電話番号を記入しておく、
【考案の開示】
【考案が解決しようとする課題】
【０００３】その、品に本人の電話番号を記入したカードを、同封し、付けたり、して善意の連絡を、いただく、ことができる、
【課題を解決するための手段】
【０００４】善意の拾い主から、電話をいただく、お礼に、明記した金額と、交換する、
【考案の効果】
【０００５】拾った人、から落とした人に、素早く、連絡がとることができる、
【考案を実施するための最良の形態】
【０００６】電話を、いただいた落とし主は、お礼いと、交換に品物とカードを早く、手元に戻すことができる、お礼の、その金額は、持ち主が、その所持品の価値で、記入する、金額で問題が起きないように、最高、５万円までとする。
【図面の簡単な説明】
【図１】表は、拾った人に、対した礼分と、落とし主の電話番号とお礼に交換する、金額を記入する、わく。
【図２】裏は、注意事項。
【符号の説明】１・・・金額を記入、わく。
２・・・電話番号を記入、わく。
３・・・紐を通す穴。
【図１】
0003192754.tif 000003
【図２】
0003192754.tif 000004
【手続補正書】
【提出日】平成26年6月11日(2014.6.11)
【手続補正１】
【補正対象書類名】実用新案登録請求の範囲
【補正対象項目名】全文
【補正方法】変更
【補正の内容】
【実用新案登録請求の範囲】
【請求項１】
落とし主の、連絡先、電話番号を記入する、第１の記入欄を一方の面に設けたことを特徴とする、カード。
【請求項２】
落とし物を拾った人へのお礼の金額を記入する、第２の記入欄を他方の面に設けたことを特徴とする、請求項１に記載のカード。
(57)【要約】      （修正有）【課題】筋力強化として腰を軽く上下運動する事で効率よく尿漏れの運動が出来、筋力効果の確認をしながらトレーニング出来る尿漏れ治療器具を提供する。【解決手段】弾力のある座布団１の中にモーメンタリー機能のスイッチ２を入れ、上向きに寝て腰に敷き、膀胱や膣（女性）に力を入れ筋力強化として軽く上下運動する事で接続したライト３が点滅し効率よく、運動が出来ているか確認でき、楽しく、持続治療できる尿漏れ治療具。【選択図】図１
0003192247.tif 000002
【実用新案登録請求の範囲】
【請求項１】
弾力のある座布団の中にモーメンタリー機能のスイッチを入れ、上向きに寝て腰に敷き、膀胱や膣（女性）に力を入れ筋力強化として軽く上下運動する事で接続したライトが点滅し効率よく、にょうもれ運動が出来ているか確認でき、楽しく、持続治療できる尿漏れ治療具。
【考案の詳細な説明】
【技術分野】
【０００１】本考案は、尿漏れに使用する尿漏れ治療具に関する。
【背景技術】
【０００２】従来の尿漏れ治療には、手術、投薬、持続性の薄いトレーニング等、精神的肉体的、経済的に苦痛を伴った。
【考案の開示】
【考案が解決しようとする課題】
【０００３】手術や投薬は精神的、肉体的苦痛や高額負担を伴い、トレーニングも効果の有無に確認が付きずらく、その為継続しずらいので効果も期待しにくい。
【課題を解決するための手段】
【０００４】そこで、弾力のある座布団の中にモーメンタリー機能のスイッチ器を入れた座布団を上向きに寝て腰に敷き、膀胱や膣（女性）、肛門に力を入れ筋力強化として腰を軽く上下運動する事で接続したライトが点滅し効率よく尿漏れの運動が出来、筋力効果の確認をしながらトレーニング出来るので楽しく、持続できる治療器具を考案した。  （図１）
【考案の効果】
【０００５】よって、手術や投薬による精神的、肉体的苦痛や高額を伴うトレーニング器具に頼ることなく、手軽で付属のライトが点滅する事で尿漏れの筋力強化が有効に働く事がその場で確認出来るので、励みにもなり楽しく持続してトレーニングが出来、効果も期待できる尿漏れ治療具である。
【考案を実施するための最良の形態】
【０００６】本考案による尿漏れ治療具はモーメンタリー機能のスイッチ器の入った弾力のある座布団を上向きに寝て腰に敷き、膀胱や膣（女性）、肛門の筋肉に力を入れ腰を軽く上げライトが消えたのを確認して１０秒程持続さす。
次に腰を落としてライトが点いたのを確認して１０秒ほど持続さす。
この動作を一セット１０回として一日二回程トレーニングを繰り返す。
ライトの点滅で治療の効果が確認でき、簡単で、手軽で、場所も要らないで゛、持続し楽しく治療出来るので効果も大いに期待できる。
【図面の簡単な説明】
【０００７】
【図１】本考案による尿漏れ治療具の図
【符号の説明】
【０００８】  １      低反発座布団
２      モーメンタリースイッチ
３      小型ライト
４      家庭用プラグ
【図１】
0003192247.tif 000003
(57)【要約】      （修正有）【課題】多目的に再利用でき、利便性に優れ資源のエコを追及したレジべんり袋を提供する。【解決手段】袋上部と下部にそれぞれ通気孔１，２を設け、袋片面中央部３に当・次年度のカレンダーを配した。袋上部の通気孔により、物を入れ結び目をつけた後にできる球状の空洞が解消される。また袋下部の通気孔は、炊事場流し台での三角コーナーの水切りや野菜等の洗いものに利用できる。【選択図】図１
0003192228.tif 000002
【実用新案登録請求の範囲】
【請求項１】
図１−１袋上部にふくれあがった空洞を取りのぞく通気孔を設けたことを特徴とするレジべんり袋。
【請求項２】
図１−２袋下部に炊事場流し台での三角コーナーの水切り、野菜等の洗いものにも利用できる通気孔を設けたことを特徴とするレジべんり袋。
【請求項３】
図１−３袋片面中央部に当・次年度のカレンダーを配したことを特徴とするレジべんり袋。
【考案の詳細な説明】
【技術分野】
【０００１】本考案は、レジべんり袋に関する。
【背景技術】
【０００２】従来スーパー・コンビニ等でのレジ袋は、ポリエチレン製のものが多く、殆ど手提げ形マチ付きのものが使われていた。
【考案の概要】
【考案が解決しようとする課題】
【０００３】しかしながら、従来の手提げ形マチ付きレジ袋は、単に物を入れ持ち運びするだけのものであった。
【課題を解決するための手段】
【０００４】本考案は、従来の手提げ形マチ付きレジ袋において形状は多様であるが、袋上部１と下部２に通気孔を設け、また袋片面中央部３に当・次年度のカレンダーをオフセットした。
【考案の効果】
【０００５】本考案に係るレジべんり袋は、袋上部１においては、物を入れ結び目をつけた後にできる、ふくれあがった球状の空洞が通気孔により解消された。
袋下部２の通気孔は、炊事場流し台での三角コーナーの水切りに、また野菜等の洗いものに利用できる。袋片面中央部３には、カレンダーを配し、イン・アウトドアいつどこでも容易に手にすることができる。これによって、使い捨てから多目的再利用が期待できる。
【図面の簡単な説明】
【０００６】
【図１】本考案に係るレジべんり袋の斜視図である。
【考案を実施するための形態】
【０００７】図１に示すように、従来の手提げ形マチ付きレジ袋において、袋上部１と袋下部２のコーナーに通気孔を設け、袋片面中央部３にはカレンダーを配した。その際形状寸法を考慮し位置の調整をするものとする。本考案は以上のような構成により使い捨てから再利用が可能となり、利便性を高め、また資源のエコに役立てようとするものである。
【符号の説明】
【０００８】１  袋上部通気孔
２  袋下部通気孔
３  袋片面中央部カレンダー
【図１】
0003192228.tif 000003
【手続補正書】
【提出日】平成26年1月31日(2014.1.31)
【手続補正１】
【補正対象書類名】実用新案登録請求の範囲
【補正対象項目名】全文
【補正方法】変更
【補正の内容】
【実用新案登録請求の範囲】
【請求項１】
（袋上部通気孔（１））、（袋下部通気孔（２））に通気孔を設け、（袋片面中央部（３））には当・次年度のカレンダーを配し、その構成により、従来の使い捨てから、多目的再利用を可能とした複合体を特徴とするレジべんり袋。
【手続補正書】
【提出日】平成26年5月13日(2014.5.13)
【手続補正１】
【補正対象書類名】実用新案登録請求の範囲
【補正対象項目名】全文
【補正方法】変更
【補正の内容】
【実用新案登録請求の範囲】
【請求項１】
袋上部に上部通気孔（１）を設け、袋下部に下部通気孔（２）を設け、袋片面中央部（３）にカレンダーを配したことを特徴とするレジべんり袋。
(57)【要約】      （修正有）【課題】軽くて水の抵抗を受ける面積が大きく、沈下速度を遅くできるルアーの一種であるメタルジグを提供する。【解決手段】ルアー本体１の中心に、ステンレスの板を挟み込んで成型し、ステンレスの板２で薄いヒダを作ることで水の抵抗を受ける面積を大きくした。【選択図】図１
0003192230.tif 000002
【実用新案登録請求の範囲】
【請求項１】
ルアー本体に、ステンレスの板のヒダを設けたことを特徴とするメタルジグ。
【考案の詳細な説明】
【技術分野】
【０００１】  この考案は、釣りに用いるルアーの形状に関する。
【背景技術】
【０００２】  従来の釣り等で使うルアーの一種、メタルジグの形状は、ステンレスの針金に鉛を成型した形状をしていた。主に船から海底に沈め、釣竿を動かすことで沈んだり泳いだりする。
【先行技術文献】
【実用新案文献】
【０００３】
【非実用新案文献】
【０００４】
【考案の概要】
【考案が解決しようとする問題】
【０００５】  しかしながら、従来のメタルジグの形状であれば、魚を誘う動きとなる落ちる動きについては、ルアーが水の抵抗を受ける面積が少ないため沈む速度が速かった。そこで、この考案は、水の抵抗を受ける面積を増やし、よりゆっくりとした速度で沈むメタルジグを提供することを課題とする。
【課題を解決するための手段】
【０００６】  以上の課題を解決するために、第一考案は、従来のステンレスの針金ではなく、ステンレスの板を用いてルアーに水の抵抗を受けるヒダを設けたことを特徴とするメタルジグである。
【考案の効果】
【０００７】  第一考案によれば、メタルジグにステンレスの板のヒダを設けたことで、鉛よりも薄い部分のヒダを作る事が出来、重さを軽くすることと、水の抵抗を受ける面積を増やす事で、沈む速度を従来のメタルジグよりも遅くする事ができた。
【図面の簡単な説明】
【図１】この考案の一実施形態を示す平面図である。
【図２】この考案の一実施形態を示す断面図である。
【図３】従来技術を示す平面図である。
【考案を実施するための形態】
【０００９】  この考案の一実施形態を、図１、図２に示す。
メタルジグの本体１は、錘の部分が鉛となっており、その中心にステンレスの板２を挟み込んで形成されている。
【００１０】  「実施形態の効果」
この実施形態によれば、ステンレスの板２の働きで、沈下時により水の抵抗を受け、沈下速度を抑える。
【符号の説明】
【００１１】  １  メタルジグ本体の鉛    ２  ステンレス板のヒダ    ３  ステンレスの針金
【図１】
0003192230.tif 000003
【図２】
0003192230.tif 000004
【図３】
0003192230.tif 000005
【手続補正書】
【提出日】平成26年5月25日(2014.5.25)
【手続補正１】
【補正対象書類名】実用新案登録請求の範囲
【補正対象項目名】全文
【補正方法】変更
【補正の内容】
【実用新案登録請求の範囲】
【請求項１】
ルアー本体の中心付近にステンレスの板を挟み込んでヒダを形成したことを特徴とするメタルジグ。
(57)【要約】      （修正有）【課題】浮力の大きな巨大バルーン（直系８フィート以上）に、簡単にガスを注入することができる固定装置を提供する。【解決手段】バルーン１の注入口のゴムに穴２を開け、そこに紐３を結わえて下部の重し４（土台）に固定する。【選択図】図２
0003192229.tif 000002
【実用新案登録請求の範囲】
【請求項１】
巨大バルーン（直径８フィート以上のバルーンをいう）に水素又はヘリウムを注入した時、巨大バルーンの浮力が強く、人間の力では押さえ切れないため、バルーンの注入口に穴を開けヒモを結わえて、飛ばないように固定する。
【考案の詳細な説明】
【考案の詳細な説明】
巨大バルーンを大空に飛ばす時、水素・又はヘリウムを注入しますが小さいバルーンと違って、浮力が強いため手で押さえきれません。
そこで、注入口の筒状の所に直径５ミリメートル位の穴２〜４カ所程開けて、そこに紐を通し適当な長さにして、下の重し（土台）に固定する。
固定したままで、作業すると安全にガスを注入できる。
【図面の簡単な説明】
【図１】本校案の斜面図である。
【図２】本校案のガス注入後の斜面図である。
【符号の説明】１は巨大バルーン    ２は穴    ３は紐    ４は重し（土台）
５は紐で結わえる
【図１】
0003192229.tif 000003
【図２】
0003192229.tif 000004
【手続補正書】
【提出日】平成26年4月28日(2014.4.28)
【手続補正１】
【補正対象書類名】実用新案登録請求の範囲
【補正対象項目名】全文
【補正方法】変更
【補正の内容】
【実用新案登録請求の範囲】
【請求項１】
バルーンの注入口に穴を開け、この穴にヒモを結わえて飛ばないように固定する巨大バルーンの固定装置。
(57)【要約】      （修正有）【課題】物干し竿に簡単に設置でき、朝日、天日、夕日、を採り入れ節電できる物干し竿用採光シートを提供する。【解決手段】本考案は、シート２にゴムの輪１を４箇所付けることで物干し竿に設置ができる。【選択図】図１
0003192240.tif 000002
【実用新案登録請求の範囲】
【請求項１】
採光シートの上下端部にそれぞれ２ヶ所ゴムの輪を付けたことにより、物干し竿に簡単に設置ができ朝日、夕日、天日が、それぞれ室内に採光できる物干し竿用採光シート。
【考案の詳細な説明】
【技術分野】
【０００１】  本考案は、反射シートを物干し竿に取り付け、室内に太陽光を採り入れる為の採光シートに関するものである。
【背景技術】
【０００２】  従来の採光板は、建物に固定する為の設置工事が必要でした。
【考案の概要】
【０００３】  物干し竿を使用し、朝日、夕日、また天からの太陽光を室内に入れる為の採光シート。
【考案が解決しようとする課題】
【０００４】  従来の採光板は、設置工事にともなう手間と相応の費用がかかる。
【課題を解決するための手段】
【０００５】  本考案は、採光シートの上下端部にそれぞれ２ヶ所ゴムの輪を付けることで、物干し竿に簡単に設置できる。
【考案の効果】
【０００６】  簡単に設置でき。朝日、天日、夕日を室内に採り入れることで節電効果がある。
【図面の簡単な説明】
【０００７】
【図１】  本考案の物干し竿用採光シートを正面から見た図である。
【図２】  本考案の物干し竿用採光シートを横から見た図である。
【図３】  室内から見た設置例である。
【図４】  室内から見た設置例である。
【図５】  室内から見た設置例である。
【考案を実施するための形態】
【０００８】    本体となるシート２の裏と表に、アルミ色の素材を使用し両面使用できる。本体となるシート２上下端部に４箇所ゴムの輪１が付いている。その他、物干し竿３、ペットボトル５、ロープ４、が必要です。
【実施例】
【０００９】    以下、添付図面に従って一実施例を説明する。ゴムの輪１を物干し竿３に通します。【００１０】    図３は、夕日用の設置例です。【００１１】    図４は、朝日用の設置例です。【００１２】    図５は、天日用の設置例です。
【符号の説明】
【００１３】    １  ゴム製の素材の輪
２  両面がアルミ色の採光シート
【図１】
0003192240.tif 000003
【図２】
0003192240.tif 000004
【図３】
0003192240.tif 000005
【図４】
0003192240.tif 000006
【図５】
0003192240.tif 000007
(57)【要約】      （修正有）【課題】少量の遺灰や遺骨を入れて身に着けられる、装身具としてのペンダントトップを提供する。【解決手段】ジュエリー本体内部に空洞を設けるとともに、密閉度の高いネジ式の蓋の開口部を設け、遺灰や遺骨を長期的に安全に収納し、日常的に身に着けられる耐久性の高いペンダントトップとした。【選択図】図１
0003192237.tif 000002
【実用新案登録請求の範囲】
【請求項１】
底部ネジ穴から遺灰や遺骨を納めることを特徴とするペンダントトップ。
【考案の詳細な説明】
【技術分野】
【０００１】    この発明は、装身具として使われるペンダントトップの構造に関する。
【技術背景】
【０００２】    約１００年前の英国ヴィクトリア朝時代に流行した、モーニングジュエリーと呼ばれる故人の遺髪や形見を入れて身に着けた装身具。
【考案の概要】
【考案が解決しようとする課題】
【０００３】    遺髪等は現代の日本の埋葬形式に合わないため、火葬という日本の埋葬形式と、遺灰や遺骨を納めて故人をしのぶという日本人の習俗を踏まえ、少量の遺灰および遺骨を入れて身に着けられる装身具が求められるが、これには耐久性および耐候性が課題となる。
【課題を解決するための手段】
【０００４】    以上を解決するために、ペンダントトップ底部にネジ穴を設けるとともに、遺灰や遺骨を入れたら外れないネジピッチ設定とすることでネジの緩みを防止し、内部の遺灰や遺骨を保護する。
【考案の効果】
【０００５】    発明により、ペンダント内の遺灰や遺骨が半永久的に保護され、日常的に身に着けることが可能となる。
【図面の簡単な説明】
【図１】この発明の一実施形態を示す側面図および低面図である。
【図２】遺灰および遺骨を収納するスペースの部分拡大図である。
【考案を実施するための形態】
この発明の一実施形態を図１に示す。
ペンタントトップ本体は銀製又は金製であり、この本体内部に遺骨又は遺灰を収納する空洞を設け、本体底部にネジ穴を設けて遺灰又は遺骨を収納する。
【符号の説明】    １  ペンダントトップ  ２  ネジ穴  ４  遺灰  ５  遺骨
【図１】
0003192237.tif 000003
【図２】
0003192237.tif 000004
(57)【要約】      （修正有）【課題】孤立した避難者を迅速・的確に救難・救護するために、避難状況・救援要望等を伝達する情報発信シート及び情報記録報告シートを提供する。【解決手段】情報発信シートは、避難所名・避難状況・救援物資等を伝達する視覚通信手段で、上から順に避難所名１が表示された避難所表示欄、避難者の総数を表示する避難者総数欄２、乳幼児数を表示する乳幼児欄３、高齢者数を表示する高齢者欄４、女性数を表示する女性欄５、緊急患者数を表示する緊急患者欄６、当該避難所における必要な救援物資を表示する救援物資欄７が記載され、情報記録報告シートは、情報発信シートにおいて、各欄の上にさらに通報者を記入する通報者欄、受信者を記入する受信者欄、日時を記入する日時欄を設け、また下部に救援物資一覧・航空英語の読みを補記し、避難所名と避難者数の間に報告・確認・処置・確認・結果・確認欄を設けて、情報の中断を防止することを特徴とする。【選択図】図１
0003192233.tif 000002
【実用新案登録請求の範囲】
【請求項１】
情報発信シートは、避難所等における避難所名・避難状況・救援物資等を伝達する視覚通信手段であり、日本語・英数で表示され遠方から識別・判読容易な規格で、背景は注意を喚起する色彩が望ましく、救援物資等は、地域の特性・季節に応じて追加・変更できる。
【請求項２】
情報記録報告シートは、情報発信シートに通報者・受信者・日時を記入できるようになっており、航空英語による読みを補記して、諸外国の救援に対応が容易であり、報告・確認・処置等の項目は、組織に応じて追加・変更できる。
【考案の詳細な説明】
【技術分野】
【００１】本考案は，視覚通信に関するものである。
【背景技術】
【００２】災害発生直後に電気的通信手段を喪失した場合に、孤立した避難所等における避難状況・救援要望を伝達する通信手段がなく、迅速・的確な救援・救助に支障がある。
【先行技術文献】
なし
【考案の概要】
【考案が解決しようとする課題】
【００３】孤立した避難所等における避難状況・救援要望の伝達を視覚通信手段で解決する。
【課題を解決するための手段】
【００４】本考案は、孤立した避難状況・救援要望等の情報を視覚通信手段により、正確に伝達し、迅速・的確な救援救助活動に資することを目的とする。【００５】緊急情報伝達システムは、情報発信シート、情報記録報告シートからなる。
【考案の効果】
【００６】各避難所等における避難者数・老若男女の内訳・緊急患者・必要な救援物資等が明確に伝達・把握でき、迅速な救援・救護を可能にする。
【図面の簡単な説明】
【００７】
【図１】情報発信シートである。
【図２】救援物資等選択シートである。
【図３】情報記録報告シートである。
【考案を実施するための形態】
【００８】情報発信シートは、鋼材・化学材・布材・網等で常設あるいは収納できる。
【００９】情報発信シートの文字・数字は、遠方から識別・判読容易な規格であり、背景は注意を喚起する色彩。
【０１０】情報発信シートは、避難所名・避難所識別・避難者数・乳幼児数・高齢者数・女性数・緊急患者数・救援物資等が英数字及び日本語で表示されており、各項目の数値及び必要な救援物資を選択して表示する。
【０１１】救援物資等は、地域・季節の特性を考慮して変更・追加できる。
【実施例】
【０１２】以下添付図面１に従って実施例を説明する。
被災後避難所において、情報発信シートに、避難者数２・乳幼児数３・高齢者数４というように各項目ごと数値９を表示し、救援物資については救援物資選択シート１０を選択・表示して、遠方から確認できるよう展開する。各項目及び救援物資等は、地域の特性・季節に応じて柔軟に検討・準備する。【０１３】情報発信シートを確認したものは、自らの通信手段で各項目を本部へ通報する。【０１４】通報の要領は、日本語・英語あるいは航空英語を使用する。【０１５】本部は、情報記録報告シートに、通報者・受信者・受信時間を記入し、通報される情報を記録、担当部署に報告・通報して、処置対策の計画立案、迅速・確実・効率的な救難・救護ができる。
【符号の説明】１  Ａ  避難所名
２  Ｂ  避難者数
３  Ｃ  乳幼児数
４  Ｄ  高齢者数
５  Ｅ  女性数
６  Ｆ  緊急患者
７  Ｇ  救援物資
８  避難所識別
９  数値
１０  救援物資等シート
【図１】
0003192233.tif 000003
【図２】
0003192233.tif 000004
【図３】
0003192233.tif 000005
【手続補正書】
【提出日】平成26年5月14日(2014.5.14)
【手続補正１】
【補正対象書類名】図面
【補正対象項目名】図１
【補正方法】変更
【補正の内容】
【図１】
0003192233.tif 000006
【手続補正２】
【補正対象書類名】実用新案登録請求の範囲
【補正対象項目名】全文
【補正方法】変更
【補正の内容】
【実用新案登録請求の範囲】
【請求項１】
：情報発信シートは、避難所名・避難状況・救援物資等を伝達する視覚通信手段で、上から順に避難所名が表示された避難所表示欄、避難者の総数を表示する避難者総数欄、乳幼児数を表示する乳幼児欄、高齢者数を表示する高齢者欄、女性数を表示する女性欄、緊急患者数を表示する緊急患者欄、当該避難所における必要な救援物資を表示する救援物資欄が記載され、前記各欄の左側に遠方から識別・判読容易な規格のアルファベットとその下に前記各欄の項目名を日本語で表示し、避難者総数欄・乳幼児欄・高齢者欄・女性数・緊急患者欄の右側にはそれぞれの数を表示でき、救援物資欄に表示する救援物資は、地域の特性・季節に応じたものを選択することができることを特徴とする情報発信シート。
【請求項２】
：情報記録報告シートは、請求項１の情報発信シートにおいて、前記各欄の上にさらに通報者を記入する通報者欄、受信者を記入する受信者欄、日時を記入する日時欄を設け、また下部に救援物資一覧・航空英語の読みを補記して共通言語により情報伝達の過誤を防止するとともに、避難所名と避難者数の間に報告・確認・処置・確認・結果・確認欄を設けて、情報の中断を防止することを特徴とするシート。
(57)【要約】      （修正有）【課題】使いやすさと、保管時に清潔に保つため洗浄可能にした剣道用甲手を提供する。【解決手段】湯通し・染め加工を施した綿生地を甲手の手の内部分に付けた。素手感覚で実技に使用でき、洗浄可能で、通気・速乾を良くし保管時の衛生面でも清潔を保つ効果につながる。【選択図】図２
0003192231.tif 000002
【実用新案登録請求の範囲】
【請求項１】
剣道に使用し、保管する際に、綿の生地（湯通し・染め加工）の手の内の甲手を利用することで、汗で滑ることなく竹刀を握ることができ、通気性・速乾性に優れ洗浄可能な素材生地なので、汗の嫌な臭いも軽減され衛生面で清潔に保つことができる剣道用甲手。
【考案の詳細な説明】
【技術分野】
【０００１】本考案は使いやすさと、保管時に清潔に保つため洗浄可能にした剣道用甲手
【背景技術】
【０００２】従来の甲手の手の内部分は、革かクラリーノ製で厚みがあるため、竹刀の握りが甘く、汗で手が滑ることがあった。
革・クラリーノは通気が悪く、乾きにくく、臭いがこもる上、洗浄も困難であった。
【考案の概要】
【考案が解決しようとする課題】
【０００３】甲手の手の内部分は、革・クラリーノ製のため使用の際は汗で滑る欠点があります。保管の際も、洗浄困難な上に通気性も悪く、速乾性も乏しく、汗臭さがこもり衛生面で清潔さに欠けています。
従って、綿でできた薄い生地素材、洗浄可能であり通気性・速乾性に優れた素材を利用することで前述の欠点を解決しようとするものである。
【課題を解決するための手段】
【０００４】薄くて丈夫であり、臭いの軽減や清潔さを保つために加工した剣道用甲手の手の内に綿生地（湯通し・染め加工）を付けることにより課題の解決となる。
【考案の効果】
【０００５】本考案の綿生地手の内（湯通し・染め加工）剣道用甲手は、使用時は素手感覚で竹刀を握ることができ、保管時は通気性・速乾性がよく洗浄可能なので、清潔さを保つことができます
0003192231.tif 000003
【手続補正書】
【提出日】平成26年5月7日(2014.5.7)
【手続補正１】
【補正対象書類名】実用新案登録請求の範囲
【補正対象項目名】全文
【補正方法】変更
【補正の内容】
【実用新案登録請求の範囲】
【請求項１】
湯通し・染め加工を施した綿生地を甲手の手の内側に付けた剣道用甲手
【手続補正２】
【補正対象書類名】明細書
【補正対象項目名】全文
【補正方法】変更
【補正の内容】
【考案の詳細な説明】
【技術分野】
【０００１】本考案は使いやすさと、保管時に清潔に保つため洗浄可能にした剣道用甲手
【背景技術】
【０００２】従来の甲手の手の内部分は、革かクラリーノ（登録商標）製で厚みがある
ため、竹刀の握りが甘く、汗で手が滑ることがあった。
革・クラリーノ（登録商標）は通気が悪く、乾きにくく、臭いがこもる上、洗浄も困難であった。
【考案の概要】
【考案が解決しようとする課題】
【０００３】甲手の手の内部分は、革・クラリーノ（登録商標）製のため使用の際は汗で滑る欠点があります。保管の際も、洗浄困難な上に通気性も悪く、速乾性も乏しく、汗臭さがこもり衛生面で清潔さに欠けています。
従って、綿でできた薄い生地素材、洗浄可能であり通気性・速乾性に優れた素材を利用することで前述の欠点を解決しようとするものである。
【課題を解決するための手段】
【０００４】薄くて丈夫であり、臭いの軽減や清潔さを保つために加工した剣道用甲手の手の内に綿生地（湯通し・染め加工）を付けることにより課題の解決となる。
【考案の効果】
【０００５】本考案の綿生地手の内（湯通し・染め加工）剣道用甲手は、使用時は素手感覚で竹刀を握ることができ、保管時は通気性・速乾性がよく洗浄可能なので、清潔さを保つことができます
【図面の簡単な説明】
【０００６】
【図１】  平面図
【図２】  立体図
【手続補正３】
【補正対象書類名】図面
【補正対象項目名】全図
【補正方法】変更
【補正の内容】
【図１】
0003192231.tif 000004
【図２】
0003192231.tif 000005
(57)【要約】      （修正有）【課題】野山に自生したり栽培される山菜、果実や農家の作る野菜を食材とし、薬品を使わなくても安心して食べられる収納袋または容器に入った醤油もろみを提供する。【解決手段】山菜１、果実３や野菜２等を形くずれしない程度にゆでた後、保冷庫に保管し、これらの山菜等に大豆こうじ、麦こうじ、米こうじ、みりん６、醤油７、氷砂糖８を混ぜ合わせ、高温加熱と低温加熱を行い、その後５〜１０°Ｃの保冷庫で１ヶ月以上保管した後、収納袋または容器１０に入れたことを特徴とする。【選択図】図１
0003192254.tif 000002
【実用新案登録請求の範囲】
【請求項１】
鍋に水と山菜のシイタケ、フキ、ゼンマイと、
果実の栗、クルミ、ギンナンと、
野菜の大根、人参、ズキ、ゴマ、ゴボウ、レンコンとコンブを入れ、
沸騰するまで加熱し、
沸騰後、直ちに前記山菜、果実、野菜とコンブをザルに出して水を切り、
保冷庫に１〜２日保管し、
前記山菜、果実、野菜とコンブを取り出し、大豆こうじ、麦こうじ、米こうじを６０％、２０％、２０％の比率で混合したこうじ類、みりん、醤油、氷砂糖と混ぜ合わせ、
沸騰させて１５分間高温加熱し、
次に５０°Ｃ〜７０°Ｃで１時間低温加熱し、
その後、５°Ｃ〜１０°Ｃの保冷庫に１ヶ月以上保管・熟成させた醤油もろみを、容器または収納袋に収納したことを特徴とする容器または収納袋入り醤油もろみ。
【考案の詳細な説明】
【技術分野】
【０００１】    本考案は、薬品類を使用しない素朴さを有する食品調味料に関するものである。
【背景技術】
【０００２】    従来、各種こうじ類とみりん、醤油、氷砂糖からなる醤油こうじはあるが、山菜と野菜を使用した醤油こうじはあまり知られていない。これは山菜や野菜を使うとその製造過程で、山菜や野菜の処理が困難であるためである。
【先行技術文献】
【特許文献】
【０００３】
【特許文献１】登録実用新案公報  第３１２４６６９号
【特許文献２】登録実用新案公報  第３０２６７６９号
【考案の概要】
【考案が解決しようとする課題】
【０００４】    近年、自然志向が強まり、野山に自生する山菜、果実や、農家が作る野菜を食材とし、薬品を使わなくても安心して食べられる、おいしくて栄養のある醤油もろみが求められている。
【課題を解決するための手段】
【０００５】    本考案は前記の課題を解決するため、野山に自生したり栽培されている山菜のシイタケ、フキ、ゼンマイと、果実の栗、クルミ、ギンナンと、野菜の大根、人参、ズキ、ゴマ、ゴボウ、レンコンと、コンブを形くずれしない程度に茹でた後、保冷庫で保管し、これらの山菜等に、大豆こうじ、麦こうじ、米こうじを混合したこうじ類、醤油、みりん、氷砂糖を混ぜ合わせ、高温加熱と低温加熱を行い、再度、冷温保管・熟成することにより、醤油もろみを容器または収納袋に収納し、容器入り醤油もろみまたは収納袋入り醤油もろみとしている。
【考案の効果】
【０００６】    保育園、幼稚園、小学校、中学校、高校等の給食に提供頂ければ、肥満傾向を予防でき、また、会社や老人施設でも提供いただければ肥満防止になり、健康維持、長寿に繋がると考える。
【図面の簡単な説明】
【０００７】
【図１】容器入り醤油もろみ
【図２】袋入り醤油もろみ
【考案を実施するための形態】
【０００８】  本考案の醤油もろみは、鍋に水と、山菜１のシイタケ、フキ、ゼンマイと、果実３の栗、クルミ、ギンナンと、野菜２の大根、人参、ズキ、ゴマ、ゴボウ、レンコンと、コンブを入れ、沸騰するまで加熱し、沸騰後直ちに山菜１、果実３と野菜２をザルに出して水を切り、保冷庫に１〜２日保管し、前記山菜１、果実３と野菜２を取り出し、大豆こうじ、麦こうじ、米こうじを６０％、２０％、２０％の比率で混合したこうじ類５、みりん６、醤油７、氷砂糖８と混ぜ合わせ、沸騰させて１５分間高温加熱し、次に５０°Ｃ〜７０°Ｃで１時間低温加熱する。その後、５°Ｃ〜１０°Ｃの保冷庫に保管・熟成させた醤油もろみを、容器または収納袋に収納して容器入り醤油もろみ１００または収納袋入り醤油もろみ１０１としている。
【実施例】
【０００９】  山菜１のシイタケは、乾燥シイタケの足の部分を除去し、傘の部分を使用する。大きいものは半分に分割した後薄く切り、長さ１．５ｃｍ位のものを使用する。
フキは皮をむき、長さ１．５ｃｍ位に切って使用する。
ゼンマイは山野に自生したものを採取し、乾燥したものを使用し、１．５ｃｍ位の長さに切る。
野菜２の大根、人参は千切りにしてゆでザルで干す。
ズキは里芋の茎の皮をむいて細く切り乾燥したものを使用し、１．５ｃｍ位の長さに切る。
ゴマは炒ってから使用する。
ゴボウは長さ１．５ｃｍ位に切り、木の槌でたたき、みりん、醤油などが含浸しやすくする。
レンコンは厚さ５ｍｍ位に切り、半分かその半分に切り使用する。
果実３の栗は渋皮をむき、半分かその半分に切り使用する。
クルミは堅い核を割り、中の実を使用する。
ギンナンは核を割り、実を半分に切って使用する。
コンブ４は刻み、長さ２ｃｍ位に切って使用する。日高コンブが望ましい。
上記のシイタケ、フキ、ゼンマイの山菜１、栗、クルミ、ギンナンの果実３と大根、人参、ズキ、ゴマ、ゴボウ、レンコンの野菜２とコンブ４を沸騰するまで加熱し、沸騰後直ちに山菜１、果実３、野菜２とコンブ４をザルに出して水を切り、その後、保冷庫に１〜２日保管する。【００１０】  次に、大豆こうじ、麦こうじ、米こうじを６０％、２０％、２０％の比率で混合したこうじ類５を作る。
次に、みりん酒６と醤油７と氷砂糖８と前記こうじ類５を混ぜ合わせ、さらに、保冷庫から山菜１、果実３と野菜２を取り出して、これらを混ぜ合わせる。
こうじ類５が作る酵素（アミラーゼ）はでんぷんを糖化したんぱく質を分解する。また、氷砂糖８は防腐剤の役目をする。
よく混ぜ合わせたみりん６、醤油７、氷砂糖８、こうじ類５、山菜１、果実３と野菜２を大きな鍋に入れ、沸騰させて１５分高温加熱し、引続き５０°Ｃ〜７０°Ｃで低温加熱を１時間行うと醤油もろみの原形が出来あがる。
出来あがった醤油もろみは、５°Ｃから１０°Ｃの貯蔵庫で１ヶ月以上保管・熟成させる。
この後、醤油もろみを保冷庫から取り出し、容器または収納袋に収納して容器入り醤油もろみ１００または収納袋入り醤油もろみ１０１が出来上がる。
【産業上の利用可能性】
【００１１】  これまで親類や知人に食べてもらい改良を続けてきた結果、前記の容器入り醤油もろみ１００または収納袋入り醤油もろみ１０１が出来上がった。今後、多くの人々の体によい健康食品として使用できる。
【符号の説明】
【００１２】  １  山菜類
２  野菜類
３  果実類
４  コンブ
５  こうじ類
６  みりん
７  醤油
８  氷砂糖
９  収納袋
１０  容器
１００  容器入り醤油もろみ
１０１  収納袋入り醤油もろみ
【図１】
0003192254.tif 000003
【図２】
0003192254.tif 000004
(57)【要約】      （修正有）【課題】本等を手等で押さえていなくても見たい頁を開いた状態に保ち、頁めくりと、読み終えた次の頁の開きを確保する為の動作を特に必要とせず、各頁の押さえ確保がしやすい本のページ押さえ固定具を提供する。【解決手段】開けた本の頁がめくり返ろうとするのを押さえこむことができる程度の重さを持つように、小さな土台１を形成し、その土台１の外周壁の任意の位置に柔軟性ある線材またはソフト棒２を設置し、ソフト棒２の先端に多少の幅を有する押さえ部２を設ける。【選択図】図２
0003192271.tif 000002
【実用新案登録請求の範囲】
【請求項１】
開けた本の頁がめくり返ろうとするのを押さえこむことができる程度の重さを持つように、小さな土台を形成し、その土台の外周壁の任意の位置に柔軟性ある線材またはソフト棒を設置し、ソフト棒の先端に多少の幅を有する押さえ部を設けたことを特徴とする本のページ押さえ固定具。
【考案の詳細な説明】
【技術分野】
【０００１】  本考案は、本や書類等の頁を手で押さえておく必要のないグッズに関するものである。
【背景技術】
【０００２】  従来においては、本等の開きを確保するものは知られている。
【考案の概要】
【考案が解決しようとする課題】
【０００３】  本の開きの確保は可能であるが、頁めくりと、読み終えた次の頁の開きを確保する為の動作が必要となる。
本発明は、以上の問題点を解決するものである。
【課題を解決するための手段】
【０００４】  開けた本の頁がめくり返ろうとするのを押さえこむことができる程度の重さを持つように、小さな土台を形成し、その土台の外周壁の任意の位置に柔軟性ある線材またはソフト棒を設置し、ソフト棒の先端に多少の幅を有する押さえ部を設ける。
本考案は、以上の構成よりなる本のページ押さえ固定具である。
【考案の効果】
【０００５】  本考案により、本等を手等で押さえていなくても見たい頁を開いた状態に保ち、頁めくりと、読み終えた次の頁の開きを確保する為の動作を特に必要とせず、各頁の押さえ確保がしやすくなる。
【図面の簡単な説明】
【０００６】
【図１】  本考案の斜視図
【図２】  本考案の使用状態を示すイメージ斜視図
【考案を実施するための形態】
【０００７】  以下、本考案の実施の形態を説明する。
（イ）本の開いた頁を押さえるだけの重さを有する土台（１）を形成し、その外周壁の任    意の１箇所に、ソフト棒（３）を設ける。
（ロ）このソフト棒（３）の先端に多少の幅面を持つ押さえ部（２）を設ける。
本考案は、以上の構成よりなり、本考案を使用する場合は、土台（１）を適宜の箇所に置き、本の厚みに応じてソフト棒（３）を調節して、押さえ部（２）で見たい頁を押さえて使用する。さらに開き頁の上に、赤シート・透明シートを置き押さえ部（２）ではさみ、勉強・料理等の際に利用できる。
また、本以外にスマートホーン・タブレット端末等のスタンドとして利用もできる。
【符号の説明】
【０００８】  （１）土台、  （２）押さえ部、  （３）ソフト棒
【図１】
0003192271.tif 000003
【図２】
0003192271.tif 000004
(57)【要約】      （修正有）【課題】金型などを使用することなく、装飾部材を低費用で形成でき、尚且つ構成も簡素化され、装飾布を筒状に縫い合わせる方法に比べても時間を短縮できるカチューシャを提供する。【解決手段】装飾布１にカチューシャの長さに切り取った両面テープ２を接着させ、装飾布１を両面テープの側面に沿って折り曲げて帯状の装飾部材３を形成する。装飾部材３をカチューシャ本体４の外面に沿って接着する。【選択図】図３
0003192268.tif 000002
【実用新案登録請求の範囲】
【請求項１】
細長いテープ状の布の裏面に、長手方向に沿って当該布の幅よりわずかに幅が細い両面テープの片面を貼り付け、さらに当該布の長手方向の両端面を折り返して両面テープの反対面の長手方向に沿って貼り付けることで装飾部材を形成し、当該装飾部材をカチューシャ本体の外面に沿って接着させて構成したことを特徴とするカチューシャ。
【請求項２】
布の代わりに繊維素材を編んで構成したテープ状素材を使った請求項１のカチューシャ。
【請求項３】
布の代わりに合成樹脂等のテープ素材を使った請求項１のカチューシャ。
【考案の詳細な説明】
【技術分野】
【０００１】  簡単な方法で装飾したカチューシャに関するものである。
【背景技術】
【０００２】  装飾性、多様性に関して多くの特徴を有するカチューシャが提案されている。
【先行技術文献】
【特許文献】
【０００３】
【特許文献１】  実用新案登録  第３０５０１１８号
【特許文献２】  実用新案登録  第３０１６０８０号
【特許文献３】  実開平５−３５００３  公報
【考案の概要】
【考案が解決しようとする課題】
【０００４】  カチューシャの装飾には、金型や軟質材などの複数の材料を使用し装飾部材を形成する方法や、筒状に縫い合わせた装飾布をカチューシャ本体に通して装飾を形成する方法などがあるが、いずれの方法も費用または形成に時間を要する。本考案はこれらの課題を解決しようとするものである。
【課題を解決するための手段】
【０００５】  弾性のある樹脂又は金属で一体成型されたカチューシャ本体の外面に、任意の模様の装飾布と両面テープで構成した装飾部材を簡単かつ安価に貼り付けることで上記課題を解決している。
【考案の効果】
【０００６】  本考案は、装飾部材を装飾布と両面テープで構成することで、金型などを使用することなく、装飾部材を低費用で形成でき、尚且つ構成も簡素化され、装飾布を筒状に縫い合わせる方法に比べても時間を短縮できる。
【図面の簡単な説明】
【０００７】
【図１】装飾布に両面テープを接着した状態を示す図である。
【図２】装飾布の長手方向両端面を折り返して両面テープの反対面の両端面に沿って貼り付けて構成した、装飾部材を示す図である。
【図３】装飾部材をカチューシャ本体の途中まで接着した状態を示す図である。
【考案を実施するための形態】
【０００８】  カチューシャ本体の外面よりわずかに幅が広いテープ状の装飾布の裏面に、当該布よりわずかに幅が小さい両面テープの片面を当該布の長手方向に沿って貼り付けたのち、当該装飾布の長手方向の両端面を折り返して両面テープの反対面の端部に沿って貼り付けて装飾部材を構成する。
【０００９】  できあがった当該装飾部材をカチューシャ本体の外面に沿って貼り付けることでカチューシャの装飾を行っている。
【実施例】
【００１０】  以下、一実施例を添付図を用いて説明する。図１はカチューシャ本体４よりわずかに幅が広いテープ状装飾布１の裏面に、装飾布１よりわずかに幅が狭い両面テープ２の片面を貼り付けた図である。【００１１】  図２は図１の状態から装飾布１の長手方向両端面を折り返して、両面テープ２の反対面の両端面に沿って貼り付け、装飾部材３を構成した図である。【００１２】  図３は完成した装飾部材３をカチューシャ本体４の外面に沿って貼り付けている工程を示したものである。【００１３】  本考案の一実施例は上述の構成をしているが、装飾布１を繊維素材を編んで構成したテープ状素材または、合成樹脂等のテープ素材を使っても同様な効果が得られることは明らかである。
【符号の説明】
【００１４】１  装飾布
２  両面テープ
３  装飾部材
４  カチューシャ本体
【図１】
0003192268.tif 000003
【図２】
0003192268.tif 000004
【図３】
0003192268.tif 000005